(57)【特許請求の範囲】
【請求項１】
消臭剤、着色剤、樹脂、及び溶剤を含み、前記消臭剤が金属フタロシアニンであり、さらに、前記金属フタロシアニンがインキ組成物全量に対して０．０５〜２０重量％含まれているインキ組成物を用いた筆記具。
【請求項２】
前記金属フタロシアニンが、フタロシアニン誘導体に塩基性官能基、酸性官能基、又はそのアルカリ金属塩が導入されたものである請求項１記載の筆記具。
【請求項３】
前記金属フタロシアニンが一般式（１）で示されるものである請求項１又は２記載の筆記具。
【化１】
0003922943.tif 000006
（式中、官能基Ｒ１〜Ｒ４のうち少なくとも１つは、塩基性基、酸性基またはそのアルカリ金属塩を示し、Ｍｅｔは多価中心金属をあらわす。）
【請求項４】
一般式（１）に示すフタロシアニン誘導体の官能基Ｒ１〜Ｒ４のうち少なくとも１つに、アミノ基が導入された金属フタロシアニンを含む請求項１乃至３のいずれかの項に記載の筆記具。
【請求項５】
前記金属フタロシアニンがアルデヒド臭気に対して消臭機能を有することを特徴とする請求項１乃至４のいずれかの項に記載の筆記具。
【請求項６】
前記金属フタロシアニンのフタロシアニン誘導体の多価中心金属が銅、マンガン、コバルト、ニッケル、及び鉄（II又はIII）の群から選択されるいずれかの金属である請求項１乃至５のいずれかの項に記載の筆記具。
【請求項７】
前記着色剤が染料であることを特徴とする請求項１乃至６のいずれかに記載の筆記具。
【請求項８】
ペン先に繊維束のチップを備えた請求項１乃至７に記載の筆記具。
【発明の詳細な説明】
【０００１】
【発明の属する技術分野】
本発明は、布や紙等に筆記された筆跡又は塗膜が、消臭効果と種々の着色効果を持つ液状組成物及びインキ組成物並びにこれらの組成物を用いた筆記具及びペン、さらにはこれらにより得られた消臭材に関する。
【０００２】
【従来の技術】
従来、筆記具、印刷関連分野、塗料関連分野において、金属フタロシアニンは、着色剤として広く用いられる。着色剤として用いられる金属フタロシアニンとしては、例えば、青色有機顔料である銅フタロシアニン（フタロシアニンブルー）、緑色顔料である塩素化銅フタロシアニン（フタロシアニングリーン）、フタロシアニン誘導体にカルボン酸又はスルホン酸を導入されたものである各種染料等が挙げられる。これらの顔料、又は染料を着色剤として使用した各種インキ組成物が各種公知となっている。又、従来公知の消臭剤としては機能性酸化チタンを挙げることができる。
【０００３】
【発明が解決しようとする課題】
しかし、従来公知の金属フタロシアニンを含むインキ組成物等の液状組成物は、金属フタロシアニンを着色剤として含むのであって、これによって、消臭又は脱臭効果を付与されたものではない。また、香料を含み、筆跡及び塗膜が香り持つ液状組成物が各種公知となっている。しかし、インキ組成物等の液状組成物による筆跡及び塗膜が、消臭又は脱臭機能を持つ筆記具は無い。
【０００４】
また、消臭剤としては、機能性酸化チタンが従来公知となっているが、一般に着色力が強く、少量添加しただけでも着色剤の発色を阻害する為、インキ組成物として用いた場合は、筆跡乃至塗膜が白っぽくなり、所望の色が得られないという問題がある。また、微粒子酸化チタンは、隠蔽力が前記機能性酸化チタンと比較して低いが、微粒子である為取り扱いが難しく、インキ組成物等の液状組成物中に均一に分散することが困難であり、作業効率が悪いという問題がある。
【０００５】
また、消臭又は脱臭素材の需要は増加の一途を辿っており、消臭又は脱臭機能をもつ各種トイレタリー製品が上市されている。しかし、これらの多くは、消臭又は脱臭効果以外の機能を持たない。つまり、ペン形状の筆記可能な形態の消臭具、特に、筆記具としての実用的な機能を同時に兼ね備えた製品はない。
【０００６】
本発明の目的は、液状組成物による筆跡及び塗膜が、生活領域内の悪臭に対する消臭又は脱臭機能を持ち、ペン等の筆記可能な形態に適用できる液状組成物、ひいては従来のインキ組成物としての機能に加えてこれまでにないインキ組成物を提供するところにある。
【０００７】
さらに本発明の目的は、消臭剤を添加することによる色の白濁や、作業効率の悪化がなく、着色剤との組合せにより筆跡又は塗膜を所望の色に着色することができるインキ組成物を提供することにある。
【０００８】
さらに本発明の目的は、消臭又は脱臭機能だけでなく、筆記具としての実用的な機能を同時に兼ね備えた製品を提供することにある。
【０００９】
【課題を解決するための手段】
前記目的を達成するため鋭意検討した結果、本発明者は、少なくとも消臭剤、着色剤、樹脂、溶剤を含み、その消臭剤が、フタロシアニン誘導体に塩基性官能基、酸性官能基、又はそのアルカリ金属塩が導入された金属フタロシアニンであり、また、前記金属フタロシアニンの配合量がインキ組成物全量に対して０．０５〜２０重量％であるインキ組成物、並びに消臭剤及び溶剤を含み、前記消臭剤が金属フタロシアニンであり、さらに前記金属フタロシアニンが液状組成物全量に対して０．０５〜２０重量％含まれている液状組成物は、優れた消臭又は脱臭効果を維持し、筆跡又は塗膜の色を種々の色に着色することができることを見出した。
【００１０】
また、前記フタロシアニンが一般式（１）に示す金属フタロシアニンである液状組成物は、その筆跡及び塗膜が、アンモニア臭（アミン系臭気）、メルカプタン臭（イオウ系臭気）だけでなく、タバコ臭（アルデヒド臭気）を含む生活領域内の悪臭に対して優れた消臭又は脱臭効果を発揮することを見出した。また、一般式（１）で示される金属フタロシアニンは、着色剤の発色を阻害することがなく、また、容易に液状組成物中に分散させることができ、作業性も良い。
【化３】
0003922943.tif 000002
（式中、官能基Ｒ１〜Ｒ４のうち少なくとも１つは、塩基性基、酸性基またはそのアルカリ金属塩を示し、Ｍｅｔは多価中心金属をあらわす。）
【００１１】
また、前記金属フタロシアニンの中心金属が４配位可能な遷移金属、特に銅、マンガン、コバルト、ニッケル、及び鉄（II又はIII）等の多価金属である液状組成物は、その筆跡及び塗膜が、生活領域内の悪臭に対して、優れた消臭又は脱臭効果を発揮することを見出した。
【００１２】
上述の様な液状組成物をペン中に収容した消臭ペンは、消臭剤を簡易に塗布することができ、手軽に持ち運ぶことができ、また、簡易型消臭材を作ることができる。前記液状組成物にさらに着色剤を含むインキ組成物を用いた筆記具は、前記消臭ペンと同様に消臭剤を簡易に塗布することができ、手軽に持ち運ぶことができ、また、簡易型消臭材を作ることができるが、着色剤が添加されることにより所望の色の筆跡が残る（文字を書くことができる）という筆記具としての基本的機能を有しつつ、消臭機能も兼ね備えている。また、消臭ペンまたは筆記具とすることで、紙や簡易接着紙に塗布が容易となり、どこにでも貼ることのできる簡易型消臭剤を作ることができるのであるが、筆記という簡便な手段により消臭又は脱臭効果を持続することができる。
【発明の実施の形態】
【００１３】
（消臭剤）
本発明の消臭剤は、少なくともフタロシアニン誘導体に塩基性官能基、酸性官能基、又はそのアルカリ金属塩が導入された金属フタロシアニンであり、特に前記フタロシアニンが一般式（１）に示す金属フタロシアニンであることが好ましい。中でも着色剤の発色を阻害しないものが好ましい。
【化４】
0003922943.tif 000003
（式中、官能基Ｒ１〜Ｒ４のうち少なくとも１つは、塩基性基、酸性基またはそのアルカリ金属塩を示し、Ｍｅｔは多価中心金属をあらわす。）
【００１４】
消臭又は脱臭機能を持つ金属フタロシアニンとしては、例えば、一般式（１）に示すフタロシアニン誘導体の官能基Ｒ１〜Ｒ４のうち少なくとも１つが塩基性基、酸性基またはそのアルカリ金属塩である金属フタロシアニンを挙げることができる。塩基性官能基としてはアミノ基を例示することができる。酸性官能基としてはカルボキシル基、スルホン酸基、また、これらのいずれかのアルカリ金属塩を例示することができる。尚、官能基Ｒ１〜Ｒ４は、消臭機能があれば、少なくとも１つが前記塩基性基、酸性基またはこれらのいずれかのアルカリ金属塩に置換されていればよく、置換された官能基の数や位置は特に限定されるものではない。また、官能基Ｒ１〜Ｒ４は、少なくとも１つが前記塩基性基、酸性基またはこれらのいずれかのアルカリ金属塩に置換されていれば、前記以外の置換基を含んでもよく、また、含まなくても良い。また、多価中心金属が銅、マンガン、コバルト、ニッケル、及び鉄（II又はIII）である金属フタロシアニンを例示することができる。好適なものとしてはコバルトフタロシアニン、テトラカルボン酸―鉄フタロシアニン、テトラカルボン酸―コバルトフタロシアニン、オクタカルボン酸―鉄フタロシアニン、アミノ・トリカルボン酸―コバルトフタロシアニン、ジアミノ・ジカルボン酸―コバルトフタロシアニン、トリアミノカルボン酸―コバルトフタロシアニン、ジアミノ・ジカルボン酸―鉄フタロシアニン、ジアミノ・ジスルホン酸ナトリウム―コバルトフタロシアニン、テトラアミノ銅フタロシアニン等を挙げることができる。
【００１５】
具体的には、商品名「DEORASE  CPC-4」（オリヱント化学工業株式会社製）、商品名「DEORASE  FPC-4」（オリヱント化学工業株式会社製）、商品名「DEORASE  CPS-N」（オリヱント化学工業株式会社製）、商品名「DEORASE  CPAC-13」（オリヱント化学工業株式会社製）、を挙げることができる。また、これらの１種又は２種以上を混合して使用することができる。
【００１６】
本発明の消臭剤は、液状組成物全量に対して０．０５〜２０．０重量％が好適範囲である。消臭剤の含有量が液状組成物全量に対して０．０５重量％未満であると、十分な消臭効果が得られない。一方、消臭剤の含有量が液状組成物全量に対して２０重量％を越えると、固形分が多くなり、粘度が上昇する為、筆記適性が低下し、分散性が低下する。消臭剤の最適配合量は、液状組成物全量に対して０．５〜１０重量％である。尚、特に、筆跡又は塗膜の色を淡色としたい場合は、消臭剤は液状組成物全量に対して０．０５〜１．０重量％であることが好適である。消臭剤の含有量が１．０重量％を越える場合は、消臭剤が筆跡又は塗膜の色に与える影響が大きく、所望の色を得るために適切な着色剤を選択する必要性が生じる。
【００１７】
（着色剤）
本発明の着色剤は、格別限定されるものではないが、インキの色を種々の色に調整することができるものであれば、合成、天然を問わず用いることができる。
【００１８】
着色剤としては、例えば、酸性染料、直接染料、及び、塩基性染料等の水溶性染料、又は、顔料等を挙げることができる。水溶性染料としては、トリフェニルメタン系、キサンテン系、アントラキノン系、金属錯体系、銅フタロシアニン系などを例示することができる。顔料としては、カーボンブラックなどの無機顔料、銅フタロシアニン系顔料、スレン系顔料、アゾ系顔料、キナクリドン系顔料、アンスラキノン系顔料、ジオキサン系顔料、インジゴ系顔料、チオインジゴ系顔料、ペリノン系顔料、ペリレン系顔料、インドレノン系顔料、アゾメチン系顔料などの有機顔料の他、蛍光顔料、金属粉顔料、パール顔料、ガラスフレーク顔料、着色エマルジョンなどを例示することができる。これらを顔料分散体として用いることもできる。また、これらの１種又は２種以上を混合して使用することができる。
【００１９】
本発明の着色剤は、消臭機能を有しないものであるが、本発明のインキ組成物により得られる筆跡の色調を主として構成する着色剤である場合には、染料であることがより好ましい。前記着色剤が酸化チタン等の金属酸化物系の無機顔料である場合には、比重が重いので着色剤の分散安定性を保つためにカルボン酸基やスルホン酸基などを有する分散剤が必要となるが、導入された官能基のうちのすべてが塩基性基（アミノ基）である金属フタロシアニンが前記消臭剤である場合には、前記金属フタロシアニンの官能基と前記分散剤のカルボン酸基等とが相互作用を生じて、インキ組成物中の金属フタロシアニンの一部が分散剤よりマスクされるために、より多量に金属フタロシアニンをインキ組成物中に配合しておくことが必要な場合がある。しかし、前記着色剤が、本発明のインキ組成物により得られた筆跡の色調を主として構成する着色剤であって、染料である場合には、分散剤をインキ組成物中に配合する必要が無く、より少ない量で消臭効果を発揮することができる。つまり、本発明の消臭剤を選択する際には、前記消臭剤は、酸性基またはそのアルカリ金属塩が導入された金属フタロシアニンであることが、染料または顔料などの着色剤種を問わずに着色剤とともに用いることができるので配合設計や製造性が容易であるために特に好ましい。また、本発明の着色剤は、染料であることが、消臭剤に導入された官能基が塩基性基または酸性基の別を問わずに用いることができ、しかも前記消臭剤の配合量が少量で消臭効果を達成できるので好ましい。
【００２０】
本発明の着色剤は、液状組成物全量に対して、すなわちインキ組成物全量に対して０．０５〜１５．０重量％が好適範囲である。着色剤の含有量がインキ組成物全量に対して０．０５重量％未満であると、十分な着色効果が得られない。一方、着色剤の含有量がインキ組成物全量に対して１５重量％を越えると、固形分が多くなり、粘度が上昇する為、筆記適性が低下し、分散性が低下する。着色剤の最適含有量は、着色剤の種類によって異なるが、１〜１０重量％である。
【００２１】
（樹脂）
本発明の樹脂は格別限定されるものではないが、インキ（液状）組成物の粘度調整を行うことができ、また、筆跡又は塗膜の表面に皮膜を形成するものであれば、合成、天然を問わず用いることができる。また、用いる溶剤によって油溶性樹脂、水溶性樹脂のいずれかを選択することができる。
【００２２】
水溶性天然樹脂としては、植物粘質物及び微生物による粘質物、蛋白質系水溶性樹脂、デンプン質系水溶性樹脂を例示することができる。水溶性半合成樹脂としては、セルロース系水溶性樹脂、デンプン系水溶性樹脂、エーテル系水溶性樹脂を例示することができる。水溶性合成樹脂としては、アクリル系水溶性樹脂、スチレンアクリル系水溶性樹脂、スチレンマレイン酸系水溶性樹脂、ビニル系水溶性樹脂、ポリエステル系水溶性樹脂、アルキッド水溶性樹脂等を例示することができる。油溶性天然樹脂としては、セルロース系油溶性樹脂、デンプン系油溶性樹脂、シェラック系油溶性樹脂、ロジン系油溶性樹脂、石炭酸系油溶性樹脂、石炭系油溶性樹脂等を例示することができる。油溶性半合成樹脂としては、ロジンエステル等の天然樹脂エステル、セルロース系油溶性樹脂、糖類等を例示することができる。また、それらの樹脂エマルションも使用できる。具体的には、水溶性樹脂としては、例えば、商品名「ジョンクリルシリーズ」（ジョンソンポリマー株式会社製）、商品名「ルビスコールＫ−３０」（ＢＡＳＦ社製）、商品名「ユニチカレジンＵＭＲシリーズ」（ユニチカ株式会社製）、商品名「ジュリマーＡＣ−１０Ｎ」（日本純薬株式会社製）を好適に用いることができる。油溶性樹脂としては、例えば、商品名「タマノール５１０」（荒川化学工業株式会社製）、商品名「アラスター７００」（荒川化学工業株式会社製）を好適に用いることができる。これらの１種又は２種以上を混合して用いることができる。
【００２３】
本発明の樹脂は、インキ組成物において含まれるものであり、液状組成物においては含まれなくてもよい。本発明の液状組成物が前記着色剤を含まない液状組成物である場合には、前記着色剤を被塗物上に樹脂により定着する必要がなく、前記消臭剤が樹脂により被覆されずに消臭効果を発揮しやすいことから、前記液状組成物が樹脂を含まない液状組成物であることが好ましい。また、液状組成物が浸透性の低い基材上に塗布される場合には、前記樹脂は、消臭剤を前記基材上に定着し易くするために、液状組成物中に含まれることが好ましい。本発明の樹脂は、インキ（液状）組成物全量に対して０．１〜３０重量％含まれていることが好ましい。樹脂が液状組成物全量に対して０．１重量％未満の場合は粘度が低下するので、インキ（液状）組成物の漏れが発生し易くなり、また、筆跡又は塗膜上で被膜が形成され難くなるので、定着性が低下し、また、分散性も悪くなる。樹脂がインキ（液状）組成物全量に対して３０重量％を超えると、インキ（液状）組成物の粘度が上がり過ぎ、流動性が低下する為、筆記適性が低下する。水溶性増粘樹脂の最適配合量は、樹脂の種類によって異なるが、０．５〜２０重量％である。
【００２４】
（溶剤）
本発明の溶剤は格別限定されるものではないが、液状組成物を溶解、分散することができ、また、液状組成物に流動性を与えることができるものであれば水性、油性を問わず用いることができる。
【００２５】
溶剤としては、例えば、アルコール類、グリコール類、プロピレングリコール類等を挙げることができる。アルコール類としては、メタノール、エタノール、イソプロピレンアルコ−ル等を例示することができる。グリコール類としては、エチレングリコ−ル、ジエチレングリコ−ル、プロピレングリコ−ル等を例示することができる。グリコ−ルエ−テル類としては、エチレングリコ−ルモノメチルエ−テル、プロピレングリコ−ルモノメチルエ−テル、ジエチレングリコ−ルモノメチルエ−テル等を例示することができる。また、水を用いることができる。
【００２６】
具体的には、メタノール、エタノール、イソプロピレンアルコ−ル、プロピレングリコ−ルモノメチルエ−テル、ジプロピレングリコ−ルモノメチルエ−テル、グリセリン、又は水を好適に用いることができる。これらの１種又は２種以上を混合して用いることができる。
【００２７】
本発明の溶剤は、インキ（液状）組成物に対して２０〜９５重量％含まれていることが好ましい。溶剤がインキ（液状）組成物に対して２０重量％未満の場合は、インキ（液状）組成物の粘度が上昇し、流動性が低下する為、筆記適性が低下する。溶剤が液状組成物全量に対して９５重量％を超えると、粘度が低下する為、インキ（液状）組成物の漏れが発生し易くなり、分散性も悪くなる。溶剤の最適配合量は、種類によって異なるが、５０〜９０重量％である。
【００２８】
（その他）
なお、本発明の液状組成物では、必要に応じて、ｐＨ調整剤、保湿材、防腐防黴剤、界面活性剤などを添加することができる。
【００２９】
本発明の液状組成物の製造方法は、格別限定されるものではないが、例えば、原材料である消臭剤、溶剤、及び必要に応じてその他の添加剤を混合して攪拌することによって製造することが好ましい。本発明の液状組成物がさらに樹脂を含む場合には、前記原材料に樹脂を加えて混合して攪拌することで製造してもよい。また、前記原材料に着色剤をさらに配合して混合撹拌することにより本発明の液状組成物をインキ組成物とすることもできる。なお、かかる調製に際しては、従来公知の分散方法、脱泡方法、濾過方法などを採用することができる。
【００３０】
（筆記具）
前記の組成及び製造方法により得られたインキ組成物をボールペンやマーカー等の公知の筆記具内に収納することにより、筆跡及び塗膜が、消臭又は脱臭機能を有する筆記具を得ることができる。特に、本発明の筆記具をマーカーとして用いることが、携帯性に優れ、且つボールペンに比べて多量の塗布量を簡易に塗布することができるので好ましい。前記、マーカーはペン先に繊維束を用いた中芯式マーカーであることが好ましく、前記中芯式マーカーがポリエステル製の中芯を用いることが前記液状組成物を適度に供給するために塗布量を調整することが容易であるために好ましい。
【００３１】
（消臭ペン）
本発明の液状組成物は、ペン用消臭液状組成物として用いて、ペン型の形態で用いることができる。この場合においては、前記消臭液状組成物を収納した消臭ペンは、顔料や染料等の着色剤を含む必要はなく、ペン先で目詰まりが起きない程度の筆記性があれば、文字の見易さ等の文字情報を伝達するための適正は無くてもよく、塗布した消臭部位を明確にするために着色剤を含んでいても良い。前記ペン型形態としては、ボールペン、マーカー等の形態に、特に限定されるものではないが且つボールペン型に比べて多量の塗布量を簡易に塗布することができるのでマーカー型の形態が好ましい。
【００３２】
（簡易型消臭材）
本発明の液状組成物、若しくはインキ組成物、または筆記具若しくは消臭ペンを用いて筆記、及び塗布された慣用の紙、簡易接着紙、布等は、壁に貼付される、卓上に設置される等の手段によって、簡易型消臭材として用いることができる。
【００３３】
【実施例】
（実施例１〜９）
表１に示す組成及び配合量で、前記の製造方法により実施例１〜８に係るインキ組成物及び実施例９に係る液状組成物を得た。尚、表１における配合量は重量部で示されている。
【００３４】
（比較例１〜５）
表１に示す組成及び配合量であること以外は、実施例１〜８と同様にして比較例１〜５に係るインキ組成物を得た。尚、表１及び表２における配合量は重量部で示されている。
【００３５】
なお、実施例１〜９及び比較例１〜５では、いずれも、分散方法、脱泡方法、濾過等は従来公知の方法を用いた。
【００３６】
【表１】
0003922943.tif 000004
【００３７】
表中、各原料組成は下記の通りである。
（消臭剤）
I  フタロシアニン誘導体：商品名「ＤＥＯＲＡＳＥ  ＣＰＣ−４」（中心金属：Ｃｏ、Ｒ１〜Ｒ４はカルボン酸）、オリヱント化学工業株式会社製。
II  フタロシアニン誘導体：商品名「ＤＥＯＲＡＳＥ  ＦＰＣ−４」（中心金属：Ｆｅ、Ｒ１〜Ｒ４はカルボン酸）、オリヱント化学工業株式会社製
III  フタロシアニン誘導体：商品名「ＤＥＯＲＡＳＥ  ＣＰＳ−Ｎ」（中心金属：Ｃｏ、Ｒ１〜Ｒ４のうち少なくとも１つ以上がカルボン酸）、オリヱント化学工業株式会社製
IV  フタロシアニン誘導体：商品名「ＤＥＯＲＡＳＥ  ＣＰＡＣ−１３」（中心金属：Ｃｏ、導入された官能基がカルボン酸基及びアミノ基であり、Ｒ１〜Ｒ４のうち１〜３個の官能基がアミノ基）、オリヱント化学工業株式会社製
V  機能性酸化チタン：商品名「ＳＴＳ−２１」、石原産業株式会社製
（着色剤）
I  水可溶性染料：商品名「ウォーターブルーＮｏ．９」、保土谷化学株式会社製
II  アルコール可溶性染料：商品名「スピロンブルーＣＲ−Ｈ」、オリヱント化学工業株式会社製
III  アルコール可溶性染料：商品名「バリファストブラック３８１０」、オリヱント化学工」業株式会社製
IV  アルコール可溶性染料：商品名「スピロンレッドＣＧＨ」、保土ヶ谷化学工業株式会社製
V  アルコール可溶性染料：商品名「バリファーストエロー４１２０」、オリエント化学工業株式社製
（樹脂）
I  アルキルフェノール樹脂：商品名「タマノール＃５１０」、荒川化学工業株式会社製
II  キシレン系樹脂：商品名「ニカノール  ＨＰ−１００」、三菱瓦斯株式会社製
III  スチレン―アクリル酸ポリマー：商品名「ジョンクリル  Ｊ−６２」、ジョンソンポリマー社製
（溶剤）
I  プロピレングリコールモノメチルエーテル：商品名「ダウアノ―ルＰＭ」、ダウ・ケミカル社製
II  ジプロピレングリコールモノメチルエーテル：商品名「ダウアノ―ルＤＰＭ」、ダウ・ケミカル社製
III  エタノール：試薬
（その他の成分）
レべリング剤：商品名「サンモリンＯＴ−７０」、三洋化成株式会社製
【００３８】
（試験サンプルの作成）
次に、表１に示した実施例及び比較例のインキ組成物及び液状組成物を収納した公知の構造のマーカーを用いて、１００ｍｍ×１００ｍｍの上質紙に面塗りを行い、試験サンプルとした。
【００３９】
（評価試験）
前記の様に作成した試験サンプルを用いて、以下の様な評価試験を行った。結果については表１に示す。
（着色性試験）
前記の様に作成した試験サンプルの色を、目視により、以下の評価基準により評価した。
○：目的の着色効果が得られている。
×：目的の着色効果が得られていない。
（消臭試験）
前記の様に作成した試験サンプルをホルムアルデヒド２ｇと共に密閉されたデシケータ中で４８時間静置後、デシケータ中の臭気を以下の評価基準により評価した。
◎：ホルムアルデヒド臭が全くしない。
○：ホルムアルデヒド臭がしない。
△：ホルムアルデヒド臭がわずかにする。
×：ホルムアルデヒド臭がする。
（筆記性）
〇：目詰まりは生じなかった。
×：目詰まりが生じ、筆記不能
【００４０】
表１より実施例１〜８に係るインキ組成物では、その筆跡又は塗膜は目的とする着色効果が得られていた。ホルムアルデヒド臭は全くせず、顕著な消臭又は脱臭機能が認められた。実施例９に係る液状組成物についてもホルムアルデヒド臭は全くせず、顕著な消臭又は脱臭機能が認められた。
【００４１】
表１より、比較例１〜３に係るインキ組成物では、ホルムアルデヒド臭が強く、消臭又は脱臭機能は全く認められなかった。比較例４のインキ組成物では、その筆跡又は塗膜の色が白っぽく、目的とする色が得られていない。また、消臭試験ではアルデヒド臭が僅かに残っており、その消臭効果は十分でない。比較例５のインキ組成物は、消臭剤が多いために筆記開始後に、直ぐに目詰まりを生じた。
【００４２】
【発明の効果】
本発明は、少なくとも消臭剤、着色剤、樹脂、及び有機溶剤を含み、さらに、前記消臭剤が金属フタロシアニンであり、特にフタロシアニン誘導体に塩基性官能基、酸性官能基、又はそのアルカリ金属塩が導入された金属フタロシアニンである液状組成物、更に前記フタロシアニンが一般式（１）に示される金属フタロシアニンである液状組成物であるので、従来の液状組成物としての機能に加えて、その筆跡及び塗膜が、生活領域内の悪臭に対する消臭又は脱臭機能を持つ。また、金属フタロシアニンは着色剤の発色を阻害することがなく、筆跡又は塗膜を種々の色に着色することができる。また、液状組成物中に容易に分散させることができることができ、作業性も良い。また、上述の様な液状組成物中に着色剤を配合することによりインキ組成物として用いた筆記具は、筆記具としての基本的機能と、消臭又は脱臭剤としての機能を同時に兼ね備えている。また、筆記具またはペン型形状塗布具（消臭ペン）とすることで、手軽に持ち運ぶことができ、安価であり、紙や簡易接着紙に塗布が容易となり、どこにでも貼ることのできる簡易型消臭材を作ることができる。また、筆記という簡便な手段により消臭又は脱臭効果を持続することができる。
【化５】
0003922943.tif 000005
（式中、官能基Ｒ１〜Ｒ４のうち少なくとも１つは、塩基性基、酸性基またはそのアルカリ金属塩を示し、Ｍｅｔは多価中心金属をあらわす。）